(57)【特許請求の範囲】
【請求項１】
バケットに収容した汚泥を減容させるバケット式汚泥減容機であって、
収容した汚泥を減容させる通気のための下開口及び上開口を有するバケットと、
前記バケットと共に空気循環路を形成するように前記バケットの上開口及び下開口に連結されるダクトと、
前記空気循環路内の空気を循環させるための送風機と、
前記送風機によって前記バケットに送られる前記ダクト内の空気を乾燥させるためのヒートポンプ装置と、
前記バケット、前記ダクト全体、前記送風機、及び前記ヒートポンプ装置を収容するヒートポンプ室と、を有し、
前記ヒートポンプ装置は、冷媒が蒸発部、圧縮部、凝縮部、膨張部の順に循環する冷媒循環路を有し、前記蒸発部は、前記バケットから前記ダクトに流入した空気を冷却して空気から水分を除去し、前記凝縮部は、水分が除去された空気の温度を上昇させて空気を乾燥させ、
前記ダクトは、前記凝縮部によって温度を上昇させた空気が循環する部分において、前記ヒートポンプ室内と連通する開口と、この開口を開閉するためのダンパ装置と、を有することを特徴とするバケット式汚泥減容機。
【発明の詳細な説明】
【技術分野】
【０００１】
本発明は、汚泥減容機に関し、更に詳細には、バケットに収容した汚泥を減容させるバケット式汚泥減容機に関する。
更に、本発明は、バケット式汚泥減容機のバケットを持上げて傾斜させるためのバケット持上げ装置に関する。
【背景技術】
【０００２】
従来から、バケットに収容した汚泥を減容させるバケット式汚泥減容機が知られている。図５は、従来のバケット式汚泥減容機の一例を示す概略図である。
図５に示すように、バケット式汚泥減容機１００は、収容した汚泥Ｗを乾燥させる通気のための下開口１０４ａ及び上開口１０４ｂを有するバケット１０４と、バケット１０４と共に空気循環路を形成するようにバケットの下開口１０４ａ及び上開口１０４ｂに連結されるダクト１０６と、空気循環路内の空気を循環させるための送風機１０８と、送風機１０８によってバケット１０４に送られるダクト１０６内の空気を乾燥させるためのヒートポンプ装置１１０と、ヒートポンプ装置を収容するヒートポンプ室１１２とを有している。
このバケット式汚泥減容機１００では、ヒートポンプ装置１１０によって乾燥させた空気を送風機１０８によってバケット１０４内に送り込む。乾燥した空気は、バケット１０４内に収容された汚泥Ｗの水分を取込み、それにより、汚泥Ｗが減容される。水分を取込んだ空気はダクト１０６に戻り、循環され、再びヒートポンプ装置１１０によって乾燥させられる。
なお、上述したバケット式汚泥減容機は、例えば、ＷＡＴＲＯＰＥ社のものが知られており、ヒートポンプを使用した減容機は、例えば、特許文献１及び２に開示されている。
【０００３】
【特許文献１】特開昭５５−８８６７号公報
【特許文献２】特開２００２−３６１１９８号公報
【発明の開示】
【発明が解決しようとする課題】
【０００４】
従来のバケット式汚泥減容機１５０を連続作動させていると、ヒートポンプ室１１２内の温度が上がり、ヒートポンプ装置１１０内の冷媒の温度が高くなりすぎることがある。それにより、バケット式汚泥減容機１５０の減容効率が悪くなる。
また、バケット式汚泥減容機１５０は、しばしば、屋外に設置される。この場合、冬の気温の低いとき、ヒートポンプ装置１１０内の冷媒の温度が低くなりすぎて冷媒のガス圧が上がらず、結果として、バケット式汚泥減容機１５０の減容効率が非常に悪くなり、場合によっては、バケット式汚泥減容機１５０自体作動しないことがある。
また、減容後の汚泥Ｗをバケット１０４から取出すのに、手間がかかっていた。
【０００５】
そこで、本発明の第１の目的は、減容効率を向上させることが可能なバケット式汚泥減容機を提供することにある。
また、本発明の第２の目的は、減容後の汚泥をバケットから取出すことを容易にするバケット持上げ装置を提供することにある。
【課題を解決するための手段】
【０００６】
上記第１の目的を達成するために、本発明によるバケット式汚泥減容機は、バケットに収容した汚泥を減容させるバケット式汚泥減容機であって、収容した汚泥を減容させる通気のための下開口及び上開口を有するバケットと、バケットと共に空気循環路を形成するようにバケットの上開口及び下開口に連結されるダクトと、空気循環路内の空気を循環させるための送風機と、送風機によってバケットに送られるダクト内の空気を乾燥させるためのヒートポンプ装置と、ヒートポンプ装置を収容するヒートポンプ室と、を有し、ヒートポンプ装置は、冷媒が蒸発部、圧縮部、凝縮部、膨張部の順に循環する冷媒循環路を有し、蒸発部は、バケットからダクトに流入した空気を冷却して空気から水分を除去し、凝縮部は、水分が除去された空気の温度を上昇させて空気を乾燥させ、更に、凝縮部と前記膨張部との間の冷媒を冷却するために前記ヒートポンプ室に設けられたファンを有することを特徴としている。
【０００７】
このように構成されたバケット式汚泥減容機において、空気循環路内の空気は、例えば、バケットの下開口からバケットの中を通って上開口からダクトに流れる。この場合、乾燥した空気を送風機によりバケット４の下開口から供給すると、空気は汚泥の水分を吸収する。それにより、汚泥が減容される。水分を吸収した空気は、バケットの上開口から送出される。ダクトの冷却部において、水分を吸収した空気を冷却して水分を除去する。次いで、水分が除去された空気を、ダクトの乾燥部において暖め、乾燥した空気にする。乾燥した空気を再び送風機によりバケットの下開口から供給し、循環させる。
また、冷媒の温度が上昇して汚泥減容機の減容効率が低下した場合、ファンによって冷媒の温度を下げることにより、汚泥減容器の減容効率を向上させることができる。
【０００８】
本発明の実施形態において、好ましくは、更に、凝集部と膨張弁との間の冷媒の温度を検出する第１の温度センサと、この第１の温度センサ及び前記ファンに接続されたコントローラと、を有し、前記コントローラは、前記第１の温度センサにより検出された温度に応じて前記ファンを作動させる。
このように構成されたバケット式汚泥減容機では、冷媒の温度が所望の温度よりも高い場合、冷媒の温度を所望の温度に迅速に近づけることができるので、減容効率を更に向上させることができる。
【０００９】
上記実施形態において、好ましくは、ヒートポンプ室は、更に、バケット、ダクト全体及び送風機を収容する。
このように構成されたバケット式汚泥減容機では、ヒートポンプ装置だけでなく、バケット、ダクト全体及び送風機がヒートポンプ室内に収容されているため、空気循環路全体がヒートポンプ室内に収容され、空気循環路と外気との間に空間が形成される。その結果、空気循環路内の温度変化を引起こす外乱の影響が少なくなり、ヒートポンプ装置の作動が安定し、減容効率を更に向上させることができる。
【００１０】
本発明の実施形態において、好ましくは、ダクトは、凝縮部によって温度を上昇させた空気が循環する部分において、ヒートポンプ室内と連通する開口と、この開口を開閉するためのダンパ装置と、を有する。
このように構成されたバケット式汚泥減容機では、外気温が低いときの運転開始時、ヒートポンプ室内及び冷媒の温度が低くなって冷媒のガス圧も低下しているが、ダンパ装置を作動させて開口を開くことにより、凝縮部によって温度を上昇させた空気がヒートポンプ室内に流れ、ヒートポンプ室内及び冷媒の温度を早期に上昇させる。その結果、冷媒循環路内の冷媒のガス圧の低下が防止され、バケット式汚泥減容機の減容効率を改善することができる。
【００１１】
上記実施形態において、好ましくは、更に、ヒートポンプ室内の温度を検出する第２の温度センサと、この第２の温度センサ及びダンパ装置に接続されたコントローラと、を有し、コントローラは、第２の温度センサにより検出された温度に応じてダンパ装置を作動させる。
このように構成されたバケット式汚泥減容機では、冷媒の温度が所望の温度よりも低い場合、冷媒の温度を所望の温度に迅速に近づけることができるので、減容効率を更に向上させることができる。
【００１２】
本発明の実施形態において、好ましくは、バケットは、その中の汚泥の取出しを容易にするためにバケットを持上げて傾斜させるための持上げ装置のアームに支持されるアーム受け部を有する。
このように構成されたバケット式汚泥減容機では、バケットをバケット持上げ装置によって持上げて傾斜させるので、バケットからの汚泥の取出しが容易になる。
【００１３】
また、本発明の第１の目的を達成するために、本発明によるバケット式汚泥減容機は、バケットに収容した汚泥を減容させるバケット式汚泥減容機であって、収容した汚泥を減容させる通気のための下開口及び上開口を有するバケットと、バケットと共に空気循環路を形成するようにバケットの上開口及び下開口に連結されるダクトと、空気循環路内の空気を循環させるための送風機と、送風機によってバケットに送られるダクト内の空気を乾燥させるためのヒートポンプ装置と、ヒートポンプ装置は、冷媒が蒸発部、圧縮部、凝縮部、膨張部の順に循環する冷媒循環路を有し、蒸発部は、バケットからダクトに流入した空気を冷却して空気から水分を除去し、凝縮部は、水分が除去された空気の温度を上昇させて空気を乾燥させ、ダクトは、凝縮部によって温度を上昇させた空気が循環する部分において、ヒートポンプ室内と連通する開口と、この開口を開閉するためのダンパ装置と、を有することを特徴としている。
【００１４】
また、本発明の第１の目的を達成するために、本発明によるバケット式汚泥減容機は、バケットに収容した汚泥を減容させるバケット式汚泥減容機であって、収容した汚泥を減容させる通気のための下開口及び上開口を有するバケットと、バケットと共に空気循環路を形成するようにバケットの上開口及び下開口に連結されるダクトと、空気循環路内の空気を循環させるための送風機と、送風機によってバケットに送られるダクト内の空気を乾燥させるためのヒートポンプ装置と、ヒートポンプ装置は、冷媒が蒸発部、圧縮部、凝縮部、膨張部の順に循環する冷媒循環路を有し、蒸発部は、バケットからダクトに流入した空気を冷却して空気から水分を除去し、凝縮部は、水分が除去された空気の温度を上昇させて空気を乾燥させ、バケット、ダクト、送風機及びヒートポンプ装置は、ハウジング内に収容されることを特徴としている。
【００１５】
また、本発明の第２の目的を達成するために、本発明によるバケット持上げ装置は、バケット式汚泥減容機のバケットを持上げて傾斜させるためのバケット持上げ装置であって、ベースと、ベースから上方に延びる２本の支柱と、支柱の枢軸を中心に水平位置と垂直位置との間を回動できるように支柱の各々に取付けられたアームと、アームを水平位置と垂直位置との間で移動させるためのアーム駆動装置と、を有し、アームは、上方が開口したバケット式汚泥減容機のバケットに設けられた水平方向に延びる孔に挿入されることを特徴としている。
このように構成されたバケット持上げ装置において、バケットをバケット持上げ装置のアームに向かって移動させることによって、バケットの水平方向に延びる孔にアームが挿入される。アーム駆動装置によってアームを水平位置から垂直位置に移動させると、バケットが持上げられながら回転し、バケットの開口が横向きになる。それにより、減容後の汚泥をバケットから取出すことを容易になる。
【発明の効果】
【００１６】
本発明により、バケット式汚泥減容機の減容効率を向上させることができる。
また、本発明により、減容後の汚泥をバケットから取出すことを容易にするバケット持上げ装置を提供することができる。
【発明を実施するための最良の形態】
【００１７】
以下、図面を参照して、本発明による汚泥減容機の１つの実施形態を詳細に説明する。図１は、本発明によるバケット式汚泥減容機の概略的な側面断面図である。図２は、本発明によるバケット式汚泥減容機の概略的な正面図である。
図１及び図２に示すように、バケット式汚泥減容機１は、ハウジング２と、汚泥Ｗを収容し且つ収容した汚泥Ｗを減容させる通気のための下開口４ａ及び上開口４ｂを有するバケット４と、バケット４と共に空気循環路を形成するようにバケット４の下開口４ａ及び上開口４ｂに連結されるダクト６と、空気循環路内の空気を循環させるための送風機８と、送風機８によってバケット４内に送られるダクト６内の空気を乾燥させるためのヒートポンプ装置１０と、を有している。バケット４、ダクト６、送風機８及びヒートポンプ装置１０は、ハウジング２内の空間１２に収容されており、この空間１２は、ヒートポンプ装置１０を収容するヒートポンプ室１２としても機能する。本実施形態では、送風機８はダクト６の一部分を構成しており、空気循環路は、バケット４、ダクト６及び送風機８によって構成されている。また、空気循環路内の空気は、矢印Ａの方向に循環し、即ち、バケット４の下開口４ａからバケット４の中を通って上開口４ｂに向かい、ダクト６及び送風機８内を通って、再びバケット４の下開口４ａに流れる。
【００１８】
バケット４は、バケット本体４ｃと、それに取付けられた４つの車輪４ｄと、取っ手４ｅとを有し、ダクト６から分離して移動可能である。また、ハウジング２は、バケット４を出し入れするための扉２ａをバケット４の取っ手４ｅ側に有している。以下、取っ手４ｅからその反対側に延びる方向を長手方向と称し、取っ手４ｅ側を手前側、その反対側を奥側と称する。バケット４は、それを手前側から奥側に押し入れることにより、ハウジング２内に配置することが可能である。
【００１９】
バケット本体４ｃは、汚泥を収容するホッパー室１４と、ホッパー室１４の下に配置された空気室１６とを有しており、ホッパー室１４と空気室１６とは、汚泥受け板１８によって仕切られている。バケット４の上開口４ｂは、汚泥Ｗをホッパー室１４に受入れるための開口でもあり、バケットの上面の縁部４ｆによって構成されている。バケット４の下開口４ａは、ホッパー本体４ｃを構成する奥側の側壁４ｇに、空気室１６と連通するように形成されている。奥側の側壁４ｇは、減容後の汚泥Ｗの取出しを容易にするために上方に向かってホッパー室１４が広がるように傾斜していることが好ましい。汚泥受け板１８は、空気室１６とホッパー室１４との間の通気を確保するために、汚泥Ｗが落下しない程度の大きさの孔２０を多数有している。また、バケット本体４ｃは、後述するバケット持上げ装置８０のアーム８８を差し入れるために長手方向に延びる孔４ｈを、両側の側壁４ｉに有している。
【００２０】
ダクト６は、ダクト本体６ａと、ダクト本体６ａの一方の端部をバケット４の上開口４ｂに接続するための入口接続部６ｂと、ダクト本体６ａの他方の端部をバケット４の下開口４ａに接続するための出口接続部６ｃとを有している。本実施形態では、ダクト本体６ａと入口接続部６ｂが直接連結され、ダクト本体６ａと出口接続部６ｃとの間に送風機８が配置され、送風機８は、ダクト６の一部を構成している。
【００２１】
入口接続部６ｂは、バケット４の上開口４ｂを覆う蓋２２と、蓋２２を上下移動させるための蓋駆動装置２４と、蓋２２とダクト本体６ａを接続するために上下方向に伸縮可能な入口ダクト２６とを有している。蓋２２は、バケット４の上面の縁部４ｆに押付けられる下位置２２ａと、それから上方に離れた上位置２２ｂとの間を蓋駆動装置２４によって移動可能である。蓋駆動装置２４は、例えば、蓋２２の４隅に配置されたエアシリンダ等によって構成される。入口ダクト２６は、蓋２２の上下移動に対応するため、例えば、蛇腹状の部材で作られる。蓋２２の下面２２ｃには、蓋２２とのバケット４の上面の縁部４ｆとの間の密封性を高めるために、ウレタンパッキン等のシール部材２８が設けられることが好ましい。
【００２２】
出口接続部６ｃは、バケット４の下開口４ａに連結される出口ダクト３０を有している。バケット４は、その下開口４ａと出口接続部６ｃの出口ダクト３０とが密封的に連結されるように、奥側に向かってバケット押付け装置３２によって押付けられている。バケット押付装置３２は、バケット４の底面４ｊから下方に突出するブラケット３４と、ブラケット３４を奥側に押付ける押付け位置３６ａとブラケット３４よりも下方に位置する逃げ位置３６ｂとの間を移動可能な押し部材３６と、押し部材３６を押付位置３６ａと逃げ位置３６ｂとの間で移動させる押し部材駆動部３８とを有している。本実施形態では、押し部材３６は、ブラケット３４に係合する一方の端部と、汚泥減容機１の設置面に対して枢動可能に取付けられた他方の端部を有している。また、押し部材駆動部３８は、押し部材３６の手前側において設置面に対して枢動可能に取付けられた一方の端部と、押し部材３６の上記一方の端部に枢動可能に取付けられた他方の端部とを有するエアシリンダ等である。
【００２３】
ダクト本体６ａは、バケット４の上方手前側から奥側に延び、次いで、下方に延びている。ダクト本体６ａは、ダクト入口部６ｂの下流側に位置し且つバケット４の上開口４ｂからダクト６に流入した空気に運ばれる汚泥Ｗの粉塵を除去するためのフィルター４０と、フィルター４０の下流側に位置し且つバケット４からダクトに流入した空気を冷却して空気から水分を除去する冷却部４２と、冷却部４２の下流側に位置し且つ水分が除去された空気の温度を上昇させて空気を乾燥させる乾燥部４４とを有している。フィルター４０は、例えば、ポリエステルで形成された空調用フィルターである。冷却部４２には、除去した水分を外部に排出するためのドレイン４６が設けられている。
【００２４】
ヒートポンプ装置１０は、冷媒が蒸発部５０、圧縮部５２、凝縮部５４、膨張部５６の順に矢印Ｂの方向に循環する冷媒循環路５８を有している。本実施形態では、蒸発部５０は、ダクト６の冷却部４２の空気を冷却するための冷却コイルによって構成され、圧縮部５２は、圧縮機によって構成され、凝縮部５４は、ダクト６の乾燥部４４の空気を温めるための凝縮コイルによって構成され、膨張部５６は、膨張弁によって構成されている。冷媒は、例えば、ＨＦＣ（Ｒ１３４、Ｒ４０７Ｃ）又はＨＣＦＣ（Ｒ２２）である。凝縮部５４から膨張部５６に延びる冷媒循環路５８の部分５８ａは、ハウジング２の近くを通っており、冷媒の温度を検出する第１の温度センサ６０を有している。また、冷媒循環路５８の部分５８ａの近くのハウジング２には、ファン６２が設けられている。第１の温度センサ６０及びファン６２は、コントローラ６４に接続されている。コントローラ６４は、第１の温度センサ６０からの信号に基づき、例えば、ファン６２の回転数を制御可能である。
【００２５】
ヒートポンプ装置１０の凝縮部５４によって温度を上昇させた空気が循環するダクト６の出口部分６ｃには、ダクト６の内部と空間１２とを連通する開口６６と、この開口を開閉するためのダンパ装置６８とを有している。ダンパ装置６８は、ダンパ７０と、ダンパ駆動装置７２とを有し、ダンパ７０は、ダクト６の内部と空間１２とを連通させる開位置７０ａとダクト６の内部を空間１２から遮断する閉位置７０ｂとの間をダンパ駆動装置７２によって移動可能である。ダンパ駆動装置７２は、例えば、電磁式のアクチュエータ又はエアシリンダ等である。また、空間１２内の空気の温度を検出するための第２の温度センサ７４が入口接続部６ｂの近くに配置されている。ダンパ駆動装置７２及び第２の温度センサ７４は、コントローラ６４に接続されており、コントローラ６４は、第２の温度センサ７４からの信号に基づき、ダンパ駆動装置７２を作動可能である。
【００２６】
図３は、ダクト６から分離したバケット４を持上げて傾斜させるためのバケット持上げ装置の概略的な側面図である。
バケット持上げ装置８０は、地面に設置されたベース８２と、ベース７２から上方に延びる２本の支柱８４と、各支柱８４の枢軸８６を中心に水平位置８８ａと垂直位置８８ｂとの間を回動可能に枢軸８６に取付けられた２つのアーム８８と、アーム８８を水平位置８８ａと垂直位置８８ｂとの間で回動させるためのアーム駆動装置である油圧シリンダ９０とを有している。本実施形態では、２つのアーム８８の間にスパン９２が連結され、スパン９２とベース８２の間に油圧シリンダ９０が介在している。アーム８８は、油圧シリンダ９０が縮んでいるとき、水平方向に延びる水平位置８８ａにあり、油圧シリンダ９０が伸びているとき、上方に延びる垂直位置８８ｂにある。アーム８８が水平位置８８ａにあるとき、バケット４を移動させることによって、アーム８８はバケット４の孔４ｈに挿入可能である。バケット４の孔４ｈは、アーム８８によって支持されるアーム受け部を構成する。
【００２７】
次に、本発明による汚泥減容機の動作について説明する。
乾燥すべき汚泥Ｗをバケット４に入れ、バケット４をハウジング２の扉２ａからハウジング２内に入れ、扉２ａを閉める。バケット押付け装置３２のエアシリンダ３８を作動させ、バケット４の下開口４ａをダクト６の出口ダクト３０に押付ける。また、蓋駆動装置２４を作動させ、蓋２２をバケット４の上面の縁部４ｆに押付ける。それにより、バケット４、ダクト６及び送風機８により構成される空気循環路が構成される。
次いで、送風機８及びヒートポンプ装置１０を作動させる。乾燥した空気を送風機８によりバケット４の下開口４ａから供給すると、空気は汚泥Ｗの水分を吸収する。それにより、汚泥が減容される。水分を吸収した空気は、バケット４の上開口４ｂから送出される。水分を吸収した空気中の汚泥Ｗの粉塵をフィルター４０によって除去した後、ダクト６の冷却部４２において、空気を冷却して水分を除去する。除去された水分は、ドレイン４６から排出される。次いで、水分が除去された空気を、ダクト６の乾燥部４４において暖め、乾燥した空気にする。乾燥した空気を再び送風機８によりバケット４の下開口４ａから供給する。空気は、空気循環路内を循環するので、汚泥により発生する臭気が外部に漏れ難い構造になっている。
【００２８】
また、冷媒循環路５８の蒸発部５０において、冷媒は、ダクト６の冷却部４２内の空気との間で熱を交換することにより蒸発するとともに、ダクト６の冷却部４２内の空気は、上述したように冷却される。蒸発した冷媒は、圧縮器５２で加圧され、温度が上昇する。温度が上昇した冷媒は、凝縮部５４において、ダクト６の乾燥部４４の空気との間で熱を交換することにより液化するとともに、ダクト６の乾燥部４４内の空気の温度は、上述したように上昇し、空気を乾燥させる。液化した冷媒は、膨張部で減圧され、再び蒸発部５０に戻る。
【００２９】
汚泥の減容が終了したら、ハウジング２の扉２ａを開き、バケット４をハウジング２から引出す。詳細には、蓋駆動装置２４を作動させることによって、蓋２２を下位置２２ａから上位置２２ｂに移動させ、押し部材駆動装置３８を作動させることによって、押し部材３６を押し位置３６ａから逃げ位置３６ｂに移動させてから、バケット４をハウジング２から引出す。
次いで、バケット４の孔４ｈとバケット持上げ装置８０のアーム８８とを整列させ、バケット４をアーム８８に向かって動かし、バケットの孔４ｈにアーム８８を挿入する。次いで、油圧シリンダ８２を作動させ、アーム７８を水平位置８８ａから垂直位置８８ｂに回動させる。それにより、バケット４の奥側の壁４ｇが下方に位置するようになる。減容後の汚泥Ｗを、バケット４からドラム缶又はフレキシブルコンテナ(袋)Ｒ（図３参照）等に移す。
【００３０】
汚泥減容機１を連続運転した場合、圧縮機５２及び送風機８により発生する熱により、ハウジング内の空間１２の温度が上昇すると共に、冷媒の温度も上昇する。コントローラ６４が、第１の温度センサ６０によって、凝集部５４と膨張部５６との間の冷媒循環路５８の部分５８ａにおける冷媒の温度が所定の値よりも上昇したことを検出したら、ファン６２をコントローラ６４によって作動させる。それにより、冷媒循環路５８の部分５８ａ内の冷媒が外気により冷却される。冷媒の温度と所定の温度との差に応じて、ファン６２の回転速度を制御してもよい。例えば、温度差が大きい場合には、ファン６２の回転を早くする。
【００３１】
また、外気温が低いときの運転開始時、ハウジング内の空間１２の温度及び冷媒の温度も低くなっており、冷媒のガス圧も低下している。コントローラ６４が温度センサ７４によって、空間１２内の温度が所定の温度よりも低いことを検出したら、ダンパ装置６８をコントローラ６４によって作動させ、ダンパ７０を閉位置７０ｂから開位置７０ａに移動させる。温められた空気が送風機８によってハウジング２内の空間１２に流れ、ハウジング内が早期に暖められ、冷媒の温度も上昇する。その結果、冷媒循環路５８内の冷媒のガス圧の低下が防止される。冷媒循環路における熱サイクルを維持するために、ダンパ７０は、間欠的に開閉されることが好ましい。
【００３２】
１つの実施例では、ダクト６の冷却部４２通過前において、空気の温度３０〜４５℃及び湿度１００〜１５％であり、ダクト６の冷却部４２通過後において、空気の温度１０〜２０℃及び湿度９０〜９５％であり、ダクト６の乾燥部４４通過後において、空気の温度５０℃及び湿度１０％であった。
【００３３】
図４は、本発明によるバケット式汚泥減容機による汚泥の除水量の時間変化の一例を示すグラフである。汚泥は、塩化鉄、塩酸及び高分子凝集剤等を含む処理液を用いて銅のエッチングした後の水洗水の処理スラッジを用いた。スラッジは、フィルタープレスで一次脱水したものを使用した。図４に示すように、汚泥から継続的に水が除去され、開始時の約２０Ｋｇのスラッジが、１０時間後には、約１０Ｋｇ、２０時間後には、約７Ｋｇになった。また、乾燥前に約７０％であった汚泥の水分率は、減容後に約２５％になった。
【００３４】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
上記実施形態では、送風機８をダクト本体６ａと出口接続部６ｃとの間に配置して、バケット４に送られる空気の圧損を軽減し、送風機８のメンテナンスをやりやすくしているけれども、空気循環路内の空気を循環させることができれば、ダクト６の任意の箇所に配置してもよい。
また、上記実施形態では、バケット４の下開口４ａら上開口４ｂに向かって乾燥した空気を供給したけれども、バケット４内の汚泥が減容されれば、バケット４の上開口４ｂから下開口４ａに向かって乾燥した空気を供給してもよい。この場合には、ダクト６の内部と空間１２とを連通する開口６６及びこの開口を開閉するためのダンパ装置６８の配置箇所を、空気循環路内の空気の流れに応じて変えるのがよい。
上記実施形態では、ハウジング２内の空間（ヒートポンプ室）１２は、バケット４、ダクト６、送風機８、ヒートポンプ装置１０のすべてを収容していたが、ヒートポンプ装置１０及びそれに関連したダクト６の部分を収容していれば、その他の構成要素がヒートポンプ室１２外にあってもよい。
【図面の簡単な説明】
【００３５】
【図１】本発明によるのバケット式汚泥減容機の概略的な側面断面図である。
【図２】本発明によるバケット式汚泥減容機の概略的な正面図である。
【図３】ダクトから分離したバケットを持上げて傾斜させるためのバケット持上げ装置の概略的な側面図である。
【図４】本発明によるバケット式汚泥減容機による汚泥の除水量の時間変化の一例を示すグラフである。
【図５】従来技術のバケット式汚泥減容機の概略的な側面図である。
【符号の説明】
【００３６】
１    バケット式汚泥減容機
４    バケット
４ａ  下開口
４ｂ  上開口
６    ダクト
８    送風機
１０  ヒートポンプ装置
１２  空間（ヒートポンプ室）
５０  蒸発部
５２  圧縮部
５４  凝縮部
５６  膨張部
５８  冷媒循環路
６０  第１の温度センサ
６２  ファン
６４  コントローラ
６６  開口
６８  ダンパ装置
７４  第２の温度センサ
８０  バケット持上げ装置
８２  ベース
８４  支柱
８６  枢軸
８８  アーム
８８ａ  水平位置
８８ｂ  垂直位置
Ｗ    汚泥
【図１】
0004754282.tif 000002
【図２】
0004754282.tif 000003
【図３】
0004754282.tif 000004
【図４】
0004754282.tif 000005
【図５】
0004754282.tif 000006